(57)【要約】【課題】関連する技術は無線端末の帰属制御が困難な場合があるという課題がある。【解決手段】本発明にかかる通信システムは、無線端末と、無線端末の通信を中継する無線中継装置と、を備える。そして、無線中継装置は、入力される無線端末を認証する認証許可に従って、無線端末へ認証許可フレームを送信する認証許可送信手段と、認証許可フレームを受信した無線端末から送信された認証応答フレームを受信する認証応答受信手段と、認証応答フレームを受信した場合、無線端末の帰属を許可する帰属許可処理を実行する帰属許可手段と、を備え、無線端末は、無線中継装置から認証許可フレームを受信する認証許可受信手段と、認証許可フレームを受信した場合、無線中継装置へ認証応答フレームを送信する認証応答送信手段と、認証応答フレームの送信後、無線中継装置へ帰属を要求する帰属要求処理を実行する帰属要求手段と、を備える。【選択図】図１
2014158156.tif 000002
【特許請求の範囲】
【請求項１】
無線端末と、前記無線端末の通信を中継する無線中継装置と、を備えた無線通信システムであって、
前記無線中継装置は、
入力される前記無線端末を認証する認証許可に従って、前記無線端末へ認証許可フレームを送信する認証許可送信手段と、
前記認証許可フレームを受信した前記無線端末から送信された認証応答フレームを受信する認証応答受信手段と、
前記認証応答フレームを受信した場合、前記無線端末の帰属を許可する帰属許可処理を実行する帰属許可手段と、を備え、
前記無線端末は、
前記無線中継装置から前記認証許可フレームを受信する認証許可受信手段と、
前記認証許可フレームを受信した場合、前記無線中継装置へ前記認証応答フレームを送信する認証応答送信手段と、
前記認証応答フレームの送信後、前記無線中継装置へ帰属を要求する帰属要求処理を実行する帰属要求手段と、
を備える、無線通信システム。
【請求項２】
前記無線中継装置は、入力される前記無線端末の認証を解除する認証解除に従って、前記無線端末へ認証解除フレームを送信する認証解除送信手段を備え、
前記無線端末は、前記無線中継装置から前記認証解除フレームを受信する認証解除受信手段を備える、
請求項１に記載の無線通信システム。
【請求項３】
前記無線中継装置は、前記無線端末からのプローブ要求に対してプローブ応答処理を実行しない、
請求項１または２に記載の無線通信システム。
【請求項４】
前記無線端末を複数備え、
複数の前記無線端末は、第一の無線端末と、前記第一の無線端末の周辺機器である第二の無線端末を含み、
前記無線中継装置の前記認証許可送信手段は、前記第一の無線端末の前記帰属許可処理の実行後に前記第二の無線端末へ前記認証許可フレームを送信する、
請求項１乃至３のいずれか一項に記載の無線通信システム。
【請求項５】
前記無線中継装置の前記認証許可送信手段は、パワーセーブ状態である前記無線端末へ前記認証許可フレームの送信を示す認証開始情報を含むビーコンを送信した後、前記認証許可フレームを送信し、
前記無線端末の前記認証許可受信手段は、前記認証開始情報を含む前記ビーコンを受信した場合、前記認証許可フレームを受信する、
請求項１〜４いずれか一項に記載の無線通信システム。
【請求項６】
入力される無線端末を認証する認証許可に従って、前記無線端末へ認証許可フレームを送信する認証許可送信手段と、
前記認証許可フレームを受信した前記無線端末から送信された認証応答フレームを受信する認証応答受信手段と、
前記認証応答フレームを受信した場合、前記無線端末の帰属を許可する帰属許可処理を実行する帰属許可手段と、
を備える、無線中継装置。
【請求項７】
無線中継装置から認証許可フレームを受信する認証許可受信手段と、
前記認証許可フレームを受信した場合、前記無線中継装置へ認証応答フレームを送信する認証応答送信手段と、
前記認証応答フレームの送信後、前記無線中継装置へ帰属を要求する帰属要求処理を実行する帰属要求手段と、
を備える、無線端末。
【請求項８】
無線端末と、前記無線端末の通信を中継する無線中継装置と、を備えた無線通信システムにおける無線通信方法であって、
前記無線中継装置は、
入力される前記無線端末を認証する認証許可に従って、前記無線端末へ認証許可フレームを送信し、
前記認証許可フレームを受信した前記無線端末から送信された認証応答フレームを受信し、
前記認証応答フレームを受信した場合、前記無線端末の帰属を許可する帰属許可処理を実行し、
前記無線端末は、
前記無線中継装置から前記認証許可フレームを受信し、
前記認証許可フレームを受信した場合、前記無線中継装置へ前記認証応答フレームを送信し、
前記認証応答フレームの送信後、前記無線中継装置へ帰属を要求する帰属要求処理を実行する、
無線通信方法。
【請求項９】
コンピュータに無線中継装置の制御処理を実行させる無線中継装置制御プログラムであって、
入力される無線端末を認証する認証許可に従って、前記無線端末へ認証許可フレームを送信し、
前記認証許可フレームを受信した前記無線端末から送信された認証応答フレームを受信し、
前記認証応答フレームを受信した場合、前記無線端末の帰属を許可する帰属許可処理を実行する、
無線中継装置制御プログラム。
【請求項１０】
コンピュータに無線端末の制御処理を実行させる無線端末制御プログラムであって、
無線中継装置から認証許可フレームを受信し、
前記認証許可フレームを受信した場合、前記無線中継装置へ認証応答フレームを送信し、
前記認証応答フレームの送信後、前記無線中継装置へ帰属を要求する帰属要求処理を実行する、
無線端末制御プログラム。
【発明の詳細な説明】
【技術分野】
【０００１】
本発明は、無線通信システム、無線中継装置、無線端末、無線通信方法、および制御プログラムに関する。
【背景技術】
【０００２】
近年、パーソナルコンピュータやＰＤＡ(Personal Digital Assistant)などの情報端末に限らず、さまざまな機器が無線ＬＡＮ(Local Area Network)機能を搭載し無線ＬＡＮ通信が可能となっている。またさまざまな機器に無線ＬＡＮ通信機能が搭載され、１つの無線ＬＡＮアクセスポイントに多数の無線ＬＡＮ子機を収容する必要性がある（以下無線ＬＡＮ通信機能を搭載した無線端末を無線ＬＡＮ子機とも呼ぶ）。しかしパーソナルコンピュータなどの情報端末以外の機器は、無線ＬＡＮ通信の常時接続が不要な場合が多い。
【０００３】
例えば無線ＬＡＮ通信を用いて音声を出力するスピーカー等の周辺機器は、テレビやオーディオ等の機器が起動してネットワーク上に繋がっていない場合、入力される音声データ通信が発生しないため無線ＬＡＮアクセスポイントに帰属している必要はない。
【０００４】
またそれらの機器は既存の情報端末と比較すると入力インターフェースが乏しい場合が多く、無線ＬＡＮ子機側からの帰属制御が容易ではない場合が多い。また、それら機器の設置場所によっても無線ＬＡＮ子機側からの帰属制御が容易ではない場合もある。
【０００５】
そのため、無線ＬＡＮ子機が一度アクセスポイントに帰属すると、無線ＬＡＮ通信が不要な場合でも帰属されたままとなる。それにより無線ＬＡＮ子機は帰属を維持するために本来必要ではない通信を行い、電力を消費する。また無線ＬＡＮアクセスポイントは一定のリソース（帰属中に必要な管理情報用のメモリ）を確保したままとなり、メモリ容量によっては収容できない無線ＬＡＮ子機が発生する。
【０００６】
または帰属を保持するため、無線ＬＡＮ通信に定期的な帰属管理用の通信が必要になる場合もある。または帰属が解除された無線ＬＡＮ子機がすぐに再接続のシーケンスを実行し、無線帯域のリソースを使用する場合もある。
【０００７】
特許文献１は、無線ＬＡＮ子機を遠隔操作で起動させる解決策を示している。しかし、この方法は、無線ＬＡＮ通信が可能であることが前提であり、無線ＬＡＮ子機の帰属管理については言及していない。
特許文献２は、無線ＬＡＮアクセスポイントが、認証要求してきた端末に対する処理が記載されている。従って、この方法では無線ＬＡＮアクセスポイント側から認証したい端末を選択し、認証処理をすることができず、認証方法に課題がある。
【先行技術文献】
【特許文献】
【０００８】
【特許文献１】特開２０１２−０９５０３２号公報
【特許文献２】特開２００４−３１２２５７号公報
【特許文献３】特開２０１１−１３００９７号公報
【特許文献４】特開２００７−０８１５１９号公報
【発明の概要】
【発明が解決しようとする課題】
【０００９】
上述のように、関連する技術は無線端末（無線ＬＡＮ子機）の帰属制御が困難な場合があるという課題がある。
本発明は、このような課題を解決するため、無線端末の帰属制御を容易に行うことが可能な無線通信システム、無線中継装置、無線端末、無線通信方法、および制御プログラムを提供することを目的とする。
【課題を解決するための手段】
【００１０】
一態様にかかる無線通信システムは、
無線端末と、前記無線端末の通信を中継する無線中継装置と、を備える。そして、
前記無線中継装置は、
入力される前記無線端末を認証する認証許可に従って、前記無線端末へ認証許可フレームを送信する認証許可送信手段と、
前記認証許可フレームを受信した前記無線端末から送信された認証応答フレームを受信する認証応答受信手段と、
前記認証応答フレームを受信した場合、前記無線端末の帰属を許可する帰属許可処理を実行する帰属許可手段と、を備え、
前記無線端末は、
前記無線中継装置から前記認証許可フレームを受信する認証許可受信手段と、
前記認証許可フレームを受信した場合、前記無線中継装置へ前記認証応答フレームを送信する認証応答送信手段と、
前記認証応答フレームの送信後、前記無線中継装置へ帰属を要求する帰属要求処理を実行する帰属要求手段と、
を備える。
【００１１】
一態様にかかる無線中継装置は、
入力される無線端末を認証する認証許可に従って、前記無線端末へ認証許可フレームを送信する認証許可送信手段と、
前記認証許可フレームを受信した前記無線端末から送信された認証応答フレームを受信する認証応答受信手段と、
前記認証応答フレームを受信した場合、前記無線端末の帰属を許可する帰属許可処理を実行する帰属許可手段と、
を備える。
【００１２】
一態様にかかる無線端末は、
無線中継装置から認証許可フレームを受信する認証許可受信手段と、
前記認証許可フレームを受信した場合、前記無線中継装置へ認証応答フレームを送信する認証応答送信手段と、
前記認証応答フレームの送信後、前記無線中継装置へ帰属を要求する帰属要求処理を実行する帰属要求手段と、
を備える。
【００１３】
一態様にかかる無線通信方法は、
無線端末と、前記無線端末の通信を中継する無線中継装置と、を備えた無線通信システムにおける無線通信方法である。そして、
前記無線中継装置は、
入力される前記無線端末を認証する認証許可に従って、前記無線端末へ認証許可フレームを送信し、
前記認証許可フレームを受信した前記無線端末から送信された認証応答フレームを受信し、
前記認証応答フレームを受信した場合、前記無線端末の帰属を許可する帰属許可処理を実行し、
前記無線端末は、
前記無線中継装置から前記認証許可フレームを受信し、
前記認証許可フレームを受信した場合、前記無線中継装置へ前記認証応答フレームを送信し、
前記認証応答フレームの送信後、前記無線中継装置へ帰属を要求する帰属要求処理を実行する。
【００１４】
一態様にかかる無線中継装置制御プログラムは、
コンピュータに無線中継装置の制御処理を実行させる無線中継装置制御プログラムである。そして、
入力される無線端末を認証する認証許可に従って、前記無線端末へ認証許可フレームを送信し、
前記認証許可フレームを受信した前記無線端末から送信された認証応答フレームを受信し、
前記認証応答フレームを受信した場合、前記無線端末の帰属を許可する帰属許可処理を実行する。
【００１５】
一態様にかかる無線端末制御プログラムは、
コンピュータに無線端末の制御処理を実行させる無線端末制御プログラムである。そして、
無線中継装置から認証許可フレームを受信し、
前記認証許可フレームを受信した場合、前記無線中継装置へ認証応答フレームを送信し、
前記認証応答フレームの送信後、前記無線中継装置へ帰属を要求する帰属要求処理を実行する。
【発明の効果】
【００１６】
本発明によると、無線ＬＡＮ子機の帰属制御を容易に行うことが可能な無線通信システム、無線中継装置、無線端末、無線通信方法、および制御プログラムを提供することができる。
【図面の簡単な説明】
【００１７】
【図１】本発明の実施の形態１にかかる通信システムの概要図である。
【図２】本発明の実施の形態１にかかる通信システムの構成図である。
【図３】本発明の実施の形態１にかかる無線ＬＡＮアクセスポイントの構成図である。
【図４】本発明の実施の形態１にかかる及び無線端末の構成図である。
【図５】本発明の実施の形態１にかかる無線ＬＡＮ子機情報記憶部に記憶されたデータの例を示す図である。
【図６】本発明の実施の形態１にかかる無線ＬＡＮアクセスポイントの操作画面の例を示す図である。
【図７】本発明の実施の形態１にかかる通信システムの接続シーケンスを示すシーケンス図である。
【図８】本発明の実施の形態１に係る通信システム接続解除シーケンスを示すシーケンス図である。
【図９】本発明の実施の形態２にかかる通信システムの接続シーケンスを示すシーケンス図である。
【図１０】本発明の実施の形態３にかかる通信システムの接続シーケンスを示すシーケンス図である。
【図１１】本発明の実施の形態４にかかる無線ＬＡＮ子機のVendor Specific情報要素解析処理を示すフローチャートである。
【図１２】既存の無線ＬＡＮアクセスポイントと無線ＬＡＮ子機の帰属シーケンス図である。
【発明を実施するための形態】
【００１８】
最初に、本発明を想到するために行った検討の経緯について説明する。
既存の無線ＬＡＮシステムにおける無線ＬＡＮアクセスポイントと無線ＬＡＮ子機の帰属シーケンスを、図１２を参照して説明する。
図において、無線ＬＡＮ子機は無線ＬＡＮアクセスポイントを見つけるためにプローブ要求（Probe Request）フレームを送信する（Ｓ９０１）。無線ＬＡＮアクセスポイントはプローブ要求に対して、無線ＬＡＮ子機へプローブ応答（Probe Response）フレームを送信する（Ｓ９０２）。
【００１９】
無線ＬＡＮ子機は、帰属したい無線ＬＡＮアクセスポイントを見つけると、無線ＬＡＮアクセスポイントに対して認証（Authentication）フレームを送信する（Ｓ９０３）。無線ＬＡＮアクセスポイントは、認証（Authentication）フレーム（例えば、認証要求フレーム）の認証条件が一致すれば認証（Authentication）フレームを成功ステータス（例えば、認証成功フレーム）で無線ＬＡＮ子機へ返す（Ｓ９０４）。
【００２０】
無線ＬＡＮ子機は、認証に成功すると無線ＬＡＮアクセスポイントへアソシエーション要求（Association Request）を送信する（Ｓ９０５）。例えば、アソシエーション要求を送信する処理が帰属要求処理である。無線ＬＡＮアクセスポイントはアソシエーション要求の接続条件が一致すると、無線ＬＡＮ子機へアソシエーション応答（Association Response）を成功ステータスで返す（Ｓ９０６）。例えば、アソシエーション要求に対しアソシエーション応答を送信する処理が帰属許可処理である。このようにして、無線ＬＡＮ子機は無線ＬＡＮアクセスポイントに帰属可能となる。
【００２１】
この方式によると、無線ＬＡＮ子機が無線ＬＡＮアクセスポイントに接続（帰属）するためには、無線ＬＡＮ子機側から接続要求（認証要求）を行う必要がある。また、無線ＬＡＮアクセスポイントが特定の無線ＬＡＮ子機との通信の必要が無く、帰属させたくない場合（従来のＭＡＣフィルタ機能など）でも無線ＬＡＮ子機側から帰属シーケンスが実行されるため、帰属シーケンス失敗を繰り返し本来不要なフレームの送受信が行われ、他の帰属した無線ＬＡＮ子機との通信に影響を与える。
【００２２】
また、無線ＬＡＮアクセスポイントが無線ＬＡＮ子機との通信の必要が無くなり、帰属が不要となった場合（無線ＬＡＮ子機が通信の必要性がないと判定できない）でも無線ＬＡＮ子機は帰属したままとなる。そうすると、無線ＬＡＮアクセスポイントは、収容数に制限がある場合、新たに無線ＬＡＮ子機を帰属させることができなくなる。
【００２３】
特許文献１は、無線ＬＡＮ子機を遠隔操作で起動させる解決策として、Wake On ＬＡＮ機能を用いて起動させる方法を示している。この方法によると、Wake On ＬＡＮ機能に用いるマジックパケットを送信するためには無線ＬＡＮ通信が可能であることが前提となっている。そして、該文献は、無線ＬＡＮ子機の帰属管理については提示していない。
【００２４】
特許文献２は、仮想ＬＡＮを用いて、無線ＬＡＮアクセスポイントが、認証要求してきた端末に対する処理が記載されている。従って、この方法では無線ＬＡＮアクセスポイント側から認証したい端末を選択し、認証処理をすることができず、認証方法に課題がある。
本発明は上記の課題を鑑みてなされた。
【００２５】
実施の形態１
まず、図１を用いて本実施の形態にかかる通信システムの概要について説明する。図１に示すように、無線通信システム１は、無線端末（テレビなどの無線ＬＡＮ子機に相当）２０と、無線端末２０の通信を中継する無線中継装置（無線ＬＡＮアクセスポイントに相当）１０とを備えている。
【００２６】
無線中継装置１０は、認証許可送信部１１、認証応答受信部１２、帰属許可部１３を備えている。認証許可送信部１１は、入力される無線端末２０を認証する認証許可に従って、無線端末２０へ認証許可フレームを送信する。認証応答受信部１２は、認証許可フレームを受信した無線端末２０から送信された認証応答フレームを受信する。帰属許可部１３は、認証応答フレームを受信した場合、無線端末２０の帰属を許可する帰属許可処理を実行する。
【００２７】
無線端末２０は、認証許可受信部２１、認証応答送信部２２、帰属要求部２３を備えている。認証許可受信部２１は、無線中継装置１０から認証許可フレームを受信する。認証応答送信部２２は、認証許可フレームを受信した場合、無線中継装置１０へ認証応答フレームを送信する。帰属要求部２３は、認証応答フレームの送信後、無線中継装置１０へ帰属を要求する帰属要求処理を実行する。
【００２８】
本実施の形態では、このような構成とすることで、外部から入力される認証許可に従って無線中継装置から認証処理を開始し、無線端末の帰属制御を容易に行うことができる。
以下、本実施の形態に係る通信システムについて詳細に説明する。図２は、本発明の実施の形態にかかる通信システム３００の構成例を示している。
図において、無線ＬＡＮアクセスポイント１０１はローカルエリアネットワーク２０６およびインターネットなどのワイドエリアネットワーク２０７に接続されている。また、無線ＬＡＮアクセスポイント１０１は、無線ＬＡＮの電波（ビーコン：無線標識など）を送出することにより無線セル２０５を構成している。
【００２９】
無線セル２０５内には無線ＬＡＮ子機（無線端末）として、無線ＬＡＮ通信機能を備えた、パーソナルコンピュータ（ＰＣ）２０２、テレビ２０３、スピーカー２０４、レコーダー２０８などが存在する。いずれかの装置を無線ＬＡＮ子機１５１とも称する。それらの無線ＬＡＮ子機１５１は、無線ＬＡＮアクセスポイント１０１に帰属できるものとする。すなわち、無線ＬＡＮ子機１５１であるパーソナルコンピュータ２０２、テレビ２０３、スピーカー２０４、レコーダー２０８は、無線ＬＡＮアクセスポイント１０１に帰属（接続）することで、無線ＬＡＮアクセスポイント１０１を介して、互いの装置間で、またはローカルエリアネットワーク２０６やワイドエリアネットワーク２０７の装置と通信を行うことができる。
【００３０】
図３は、無線中継装置である無線ＬＡＮアクセスポイント１０１の構成を示している。
無線ＬＡＮアクセスポイント１０１は、アンテナ１０２、無線制御部１０３、制御部１０４、外部インターフェース１０５、記憶部１０８を備えている。アンテナ１０２は無線ＬＡＮ子機１５１との間で電波を送受信する。無線制御部１０３は、無線ＬＡＮアダプタ等であり、アンテナ１０２で受信した電波を無線ＬＡＮの通信に必要なデータに変換する。
【００３１】
無線制御部１０３はアンテナ１０２から送信するためパケットデータを電波に変換する。制御部１０４は、ＣＰＵ等（コンピュータ）であり、プログラム記憶部１０６に記憶されたプログラムを実行することで無線制御部１０３の制御を行い、送信データを無線制御部１０３に転送または受信データを無線制御部１０３から受け取る。また、制御部１０４は外部インターフェース１０５を用いて他のネットワークとのデータの送受信を行う。
【００３２】
記憶部１０８は、プログラム記憶部１０６と無線ＬＡＮ子機情報記憶部１０７を含む。無線ＬＡＮ子機情報記憶部１０７は無線ＬＡＮアクセスポイント１０１に帰属できる無線ＬＡＮ子機の情報（無線ＬＡＮ子機情報テーブル）を記憶する。プログラム記憶部１０６は、無線ＬＡＮ子機情報記憶部１０７の無線ＬＡＮ子機情報テーブルを元に認証（Authentication）／認証解除（Deauthentication）フレームを生成し送信するプログラムを有する。
【００３３】
また、プログラム記憶部１０６にはユーザー（操作者）がＷｅｂまたはネットワーク通信で設定コマンドを発行するアプリケーションなどからの入力を受け付けるためのプログラムが記憶されている。そして、プログラム記憶部１０６は、無線ＬＡＮ子機情報記憶部１０７に記憶された無線ＬＡＮ子機情報を元にユーザーが帰属または帰属解除させたい無線ＬＡＮ子機１５１を選択できるようにする。
【００３４】
無線ＬＡＮアクセスポイント１０１は、ユーザーの要求に従い無線ＬＡＮアクセスポイント１０１に帰属しようとした無線ＬＡＮ子機１５１の帰属を許可するかを判定する。またはユーザーの要求に従い無線ＬＡＮアクセスポイント１０１に帰属した無線ＬＡＮ子機の帰属を解除するかを判定する。
【００３５】
無線ＬＡＮアクセスポイント１０１では、アンテナ１０２で受信した電波は無線制御部１０３によって無線ＬＡＮフレームデータに変換され制御部１０４に渡される。制御部１０４は、プログラム記憶部１０６に記憶されたプログラムによって処理する。制御部１０４は、無線制御部１０３から渡された無線ＬＡＮフレームデータの各フレームタイプを判別しそれぞれのフレームに適した処理を行う。制御部１０４は、各フレームタイプのうちマネジメントフレームのアソシエーションに成功した無線ＬＡＮ子機のＭＡＣアドレスを無線ＬＡＮ子機識別子とともに無線ＬＡＮ子機情報記憶部１０７に記憶する。
【００３６】
例えば、プログラム記憶部１０６の制御プログラムを実行することで、認証処理を行う認証処理部２２１、帰属処理を行う帰属処理部２２２が実現される。なお、認証処理部２２１及び帰属処理部２２２は、制御部１０４で実現してもよいし、制御部１０４及び無線制御部１０３で実現してもよい。
【００３７】
認証処理部２２１は、図１の認証許可送信部１１及び認証応答受信部１２に相当し、ユーザーから入力される認証許可／解除に応じて無線ＬＡＮ子機１５１へ認証フレーム（認証許可／解除フレーム）を送信し、また、無線ＬＡＮ子機１５１から認証フレーム（認証応答フレーム）を受信する。
帰属処理部２２２は、図１の帰属許可部１３に相当し、無線ＬＡＮ子機１５１から認証許可に対する認証フレームを受信した後、無線ＬＡＮ子機１５１からアソシエーション要求を受信すると、無線ＬＡＮ子機１５１の帰属を許可し、アソシエーション応答を送信する。
【００３８】
次に図４を用いて無線端末１５１の装置の構成を説明する。無線端末１５１は、アンテナ１５２、無線制御部１５３、制御部１５４、記憶部１５８を備えている。アンテナ１５２は無線ＬＡＮアクセスポイント１０１との間で電波を送受信する。無線制御部１５３は、無線ＬＡＮアダプタ等であり、アンテナ１５２で受信した電波を無線ＬＡＮの通信に必要なデータに変換する。無線制御部１５３はアンテナ１５２から送信するためパケットデータを電波に変換する。制御部１５４は、ＣＰＵ等であり、プログラム記憶部１５６に記憶されたプログラムを実行することで無線制御部１５３の制御を行い、送信データを無線制御部１５３に転送または受信データを無線制御部１５３から受け取る。
【００３９】
記憶部１５８は、プログラム記憶部１５６と情報記憶部１５７を含む。情報記憶部１５７は帰属できる無線ＬＡＮアクセスポイント１０１の情報を記憶する。プログラム記憶部１５６は、無線制御部１５３が受信した無線中継装置から送信された認証／認証解除フレームを受信した後、認証／認証解除フレームを生成し送信するプログラムを有する。
【００４０】
例えば、プログラム記憶部１５６の制御プログラムを実行することで、認証処理を行う認証処理部２４１、帰属処理を行う帰属処理部２４２が実現される。なお、認証処理部２４１及び帰属処理部２４２は、制御部１５４で実現してもよいし、制御部１５４及び無線制御部１５３で実現してもよい。
【００４１】
認証処理部２４１は、図１の認証応答送信部２１及び認証許可受信部２２に相当し、無線ＬＡＮアクセスポイント１０１から認証フレーム（認証許可／解除フレーム）を受信すると、無線ＬＡＮアクセスポイント１０１へ認証フレーム（認証応答フレーム）を送信する。
【００４２】
帰属処理部２４２は、図１の帰属要求部２３に相当し、無線ＬＡＮアクセスポイント１０１から認証フレーム（認証許可フレーム）を受信し、さらに認証フレームを送信した後、無線ＬＡＮアクセスポイント１０１アソシエーション要求を送信する。
【００４３】
図５は、図３の無線ＬＡＮ子機情報記憶部１０７に記憶された無線ＬＡＮ子機情報テーブルを示している。
図に示しように、無線ＬＡＮ子機情報テーブルには、パーソナルコンピュータ２０２などが無線ＬＡＮアクセスポイント１０１に帰属した際、既知の無線ＬＡＮ子機としてＭＡＣアドレスと無線ＬＡＮ子機識別子が記憶される。
【００４４】
例えば、無線ＬＡＮ子機情報テーブルに含まれる無線ＬＡＮ子機に対して、ユーザが認証許可／解除を指定すると、無線ＬＡＮアクセスポイント１０１は、該当する無線ＬＡＮ子機のＭＡＣアドレスを宛先として認証フレーム（認証許可／解除フレーム）を送信する。
【００４５】
上記の構成により、通信システム３００は、無線ＬＡＮアクセスポイント１０１から認証（Authentication）／認証解除（Deauthentication）フレームを送信することにより遠隔操作で無線ＬＡＮ子機１５１の認証処理をし、帰属または帰属解除させるため、無線ＬＡＮ子機１５１を操作することなく任意のタイミングで無線ＬＡＮ子機１５１を帰属または帰属解除する機能を備える。
【００４６】
図６は、無線ＬＡＮアクセスポイント１０１がユーザーの要求を受け付ける操作画面の一例を示している。これは、ＬＡＮまたは無線ＬＡＮ通信で無線ＬＡＮアクセスポイント１０１に接続した端末から操作可能なＷｅｂ画面４００である。すなわち、ユーザーが、ローカルエリアネットワーク２０６、ワイドエリアネットワーク２０７、無線セル２０５のいずれかの端末から無線ＬＡＮアクセスポイント１０１にブラウザプログラム等によりアクセスすると、ユーザーの端末にＷｅｂ画面４００が表示される。Ｗｅｂ画面４００を表示するプログラムは、プログラム記憶部１０６に記憶されている。
【００４７】
Ｗｅｂ画面４００には、無線ＬＡＮ子機情報記憶部１０７に記憶された無線ＬＡＮ子機識別子４０１と、現在の無線ＬＡＮ子機１５１の帰属状態に応じて認証許可／認証解除ボタン４０２が表示される。例えば、無線ＬＡＮ子機１５１が帰属した状態であれば帰属解除をするために認証解除（帰属解除）ボタンが表示され、無線ＬＡＮ子機１５１が帰属していない状態であれば帰属許可をするために認証許可（帰属許可）ボタンが表示される。
【００４８】
ユーザーが認証許可／認証解除ボタン４０２をクリック操作等することで、無線ＬＡＮアクセスポイント１０１に特定の無線ＬＡＮ子機を認証許可または認証解除させるための命令を発行（入力）することができる。図６はＷｅｂ画面の例であるが専用のアプリケーションによるネットワーク通信で設定を行い、無線ＬＡＮアクセスポイント１０１に直接入出力インターフェースを設けてもよい。
【００４９】
また、無線ＬＡＮ子機情報記憶部１０７に記憶する無線ＬＡＮ子機１５１のＭＡＣアドレスや識別子は無線ＬＡＮ子機１５１の帰属実績がなくてもＷｅｂ画面４００等によりユーザーが設定してもよい。
以上実施の形態の構成を述べたが、データの送受信方法などは当業者にとってよく知られており、また本発明とは直接関係しないので、その詳細な構成は省略する。
【００５０】
実施の形態の処理の説明
まず、あらかじめ無線ＬＡＮ子機１５１としてパーソナルコンピュータ２０２、テレビ２０３、スピーカー２０４などが無線ＬＡＮアクセスポイント１０１に帰属した実績があり、無線ＬＡＮ子機情報記憶部１０７に無線ＬＡＮ子機情報が記憶されているものとする。
【００５１】
図７は、本実施の形態に係る通信システム３００の接続シーケンスを示している。
特定の無線端末である無線ＬＡＮ子機１５１（例えばテレビ２０３）が無線ＬＡＮアクセスポイント１０１に帰属するためプローブ要求（Probe Request）フレームを定期的に送出している（Ｓ１０１）。
無線ＬＡＮアクセスポイント１０１は、ユーザーからテレビ２０３の認証許可を得られていないため、プローブ要求フレームを受信しても、プローブ応答（Probe Response）フレームを送出しない（Ｓ１０２）。
【００５２】
まず、ユーザーがＷｅｂ画面４００等で無線ＬＡＮアクセスポイント１０１にアクセスし、テレビ２０３の認証を許可するために認証許可の入力処理をする（Ｓ１０３）。無線ＬＡＮアクセスポイント１０１の認証処理部２２１は、テレビ２０３の認証許可が入力されたため、テレビ２０３に対して認証（Authentication）フレームを送出する処理をする（Ｓ１０４）。これは、無線ＬＡＮアクセスポイント１０１が、テレビ２０３に対して自身への接続を促し、認証をするトリガとなる。
【００５３】
テレビ２０３の認証処理部２４１は、帰属したい無線ＬＡＮアクセスポイント１０１からの認証（Authentication）フレームを受信した場合、無線ＬＡＮアクセスポイント１０１に認証（Authentication）フレームを送出し、無線ＬＡＮアクセスポイント１０１の認証処理部２２１は、テレビ２０３から送信された認証フレームを受信する（Ｓ１０５）。以上の処理により、無線ＬＡＮアクセスポイント１０１とテレビ２０３の認証処理が完了する。
【００５４】
次に、テレビ２０３は、無線ＬＡＮアクセスポイント１０１に帰属するため、アソシエーション要求（Association Request）フレームを送出する処理をする（Ｓ１０６）。無線ＬＡＮアクセスポイント１０１は、アソシエーション要求を受信すると、アソシエーション応答（Association Response）を送出してテレビ２０３を帰属させる処理をする（Ｓ１０７）。以上の処理により、無線ＬＡＮアクセスポイント１０１とテレビ２０３の帰属処理が完了する
【００５５】
次に、無線ＬＡＮアクセスポイント１０１から無線ＬＡＮ子機１５１の接続（帰属）を解除する方法を示す。図８は本実施の形態にかかる通信システム３００の接続解除シーケンスを示している。本実施の形態は、無線ＬＡＮアクセスポイント１０１とテレビ２０３の接続をユーザーの入力をトリガとして解除する方法を示している。
【００５６】
図８では、図７の接続シーケンスによって、特定の無線ＬＡＮ子機１５１（例えばテレビ２０３）が無線ＬＡＮアクセスポイント１０１に帰属しており、無線ＬＡＮアクセスポイント１０１配下の他の機器と何らかのデータ通信を行っている（Ｓ２０１）。
【００５７】
テレビ２０３が無線ＬＡＮアクセスポイント１０１配下の他の機器との通信が不要になった場合、ユーザーはＷｅｂ画面４００等で無線ＬＡＮアクセスポイント１０１にアクセスしテレビ２０３の認証解除の命令（帰属解除）を発行（入力）する（Ｓ２０２）。無線ＬＡＮアクセスポイント１０１の認証処理部２２１は、テレビ２０３の認証解除が入力されたため、テレビ２０３に対して認証解除（Deauthentication）フレームを送信する（Ｓ２０３）。
【００５８】
テレビ２０３の認証処理部２４１は、無線ＬＡＮアクセスポイント１０１からの認証解除（Deauthentication）フレームを受信すると、認証解除（Deauthentication）を送信し、無線ＬＡＮアクセスポイント１０１の認証処理部２２１は、テレビ２０３からの認証解除（Deauthentication）フレームを受信する（Ｓ２０４）。これによりテレビ２０３の帰属が解除される。例えば、認証解除（帰属解除）した後、無線ＬＡＮアクセスポイント１０１は、テレビ２０３との接続を切断する処理を行ってもよい。
【００５９】
効果の説明
以上説明したように、本発明においては、以下に記載するような効果を奏する。
第1の効果は無線ＬＡＮアクセスポイント１０１側から認証（Authentication）フレームを送信しているので、無線ＬＡＮ子機１５１を操作することなく任意のタイミングで無線ＬＡＮ子機１５１を容易に帰属させることができることである。
第２の効果は無線ＬＡＮアクセスポイント１０１側から認証解除（Deauthentication）フレームを送信しているので、無線ＬＡＮ子機１５１を操作することなく任意のタイミングで無線ＬＡＮ子機１５１の認証処理をし、また、帰属を解除させることができることである。
【００６０】
第３の効果は無線ＬＡＮ子機１５１との通信が必要なときに無線ＬＡＮ子機１５１を帰属させることができるので、無線ＬＡＮ子機１５１が常に帰属している必要がないので無線ＬＡＮアクセスポイント１０１のリソース（帰属中に必要な管理情報用のメモリ）消費を軽減できることである。
第４の効果は無線ＬＡＮ子機１５１との通信が必要なときに無線ＬＡＮ子機１５１を帰属させることができるので、無線ＬＡＮ子機１５１が帰属を維持するための通信や、何らかの原因で帰属が解除されてしまった場合の再帰属に関わる通信を不要にできることである。
【００６１】
実施の形態２
本発明の実施の形態２として、無縁ＬＡＮアクセスポイント１０１の無線ＬＡＮ子機情報記憶部１０７において無線ＬＡＮ子機情報同士を関連付けて記憶し、ある無線ＬＡＮ子機１５１が帰属したときに関連付けられた他の無線ＬＡＮ子機１５１に対して認証フレームを送信して自動で帰属させてもよい。
【００６２】
例えばレコーダー２０８に蓄積された映像データをテレビ２０３で視聴しスピーカー２０４で音声を再生させる場合、図９のようにテレビ２０３が帰属したときにテレビ２０３に関連付けられたスピーカー２０４やレコーダー２０８に対して自動で認証フレームを送信しスピーカー２０４やレコーダー２０８を帰属させることによりテレビ２０３とスピーカー２０４やレコーダー２０８との通信を可能にする。
【００６３】
実施の形態２の処理の説明
図２の実施の形態１と同様に、本実施の形態の通信システム３００は、無線ＬＡＮアクセスポイント１０１と、テレビ２０３と、スピーカー２０４と、レコーダー２０８を備えている。
【００６４】
図９を用いて本実施の形態に係る通信システム３００の接続シーケンスについて説明する。
ユーザーが無線ＬＡＮアクセスポイント１０１にテレビ２０３の認証許可を入力し（Ｓ３０１）、無線ＬＡＮアクセスポイント１０１にテレビ２０３を帰属させる処理までは実施の形態１の図７と同様である。
【００６５】
無線ＬＡＮアクセスポイント１０１の帰属処理部２２２がアソシエーション応答を送信し、テレビ２０３の帰属（認証）が完了すると、無線ＬＡＮ子機情報記憶部１０７の無線ＬＡＮ子機１５１の関連付けに従い、他の無線ＬＡＮ子機１５１の認証（帰属）処理を開始する。テレビ２０３の帰属（認証）完了後、無線ＬＡＮアクセスポイント１０１の認証処理部２２１は、スピーカー２０４及びレコーダー２０８に認証（Authentication）フレームを送出する処理をする（Ｓ３０２、３０３）。
【００６６】
スピーカー２０４の認証処理部２４１は、無線ＬＡＮアクセスポイント１０１からの認証（Authentication）フレームを受信する処理をすると、無線ＬＡＮアクセスポイント１０１に認証（Authentication）フレームを送出し（Ｓ３０４）、さらに帰属処理部２４２はアソシエーション要求（Association Request）フレームを無線ＬＡＮアクセスポイント１０１に送出する処理をする（Ｓ３０５）。無線ＬＡＮアクセスポイント１０１の認証処理部２２１が認証フレームを受信し、さらに帰属処理部２２２がアソシエーション要求を受信すると、アソシエーション応答（Association Response）を送出してスピーカー２０４の帰属（認証）処理が完了する（Ｓ３０６）。
【００６７】
同様に、レコーダー２０８の認証処理部２４１は、無線ＬＡＮアクセスポイント１０１からの認証（Authentication）フレームを受信すると、無線ＬＡＮアクセスポイント１０１に認証（Authentication）フレームを送出し（Ｓ３０７）、さらに帰属処理部２４２はアソシエーション要求（Association Request）フレームを無線ＬＡＮアクセスポイント１０１０に送出する処理をする（Ｓ３０８）。無線ＬＡＮアクセスポイント１０１の認証処理部２２１が認証フレームを受信し、さらに帰属処理部２２２がアソシエーション要求を受信すると、アソシエーション応答（Association Response）を送出してレコーダー２０８の帰属（認証）処理が完了する（Ｓ３０９）。
【００６８】
以上の処理により、テレビ２０３、レコーダー２０８、スピーカー２０４それぞれを操作して接続させる必要はなくなり、テレビ２０３が無線ＬＡＮアクセスポイント１０１に帰属するだけでレコーダー２０８、スピーカー２０４を帰属させて無線ＬＡＮ通信を使用可能とすることができる。また、同様にテレビ２０３の視聴を終了し無線ＬＡＮアクセスポイント１０１から帰属を解除した場合、無線ＬＡＮアクセスポイント１０１は自動でレコーダー２０８、スピーカー２０４に対して認証解除フレームを送信して帰属を解除させる処理をしてもよい。
【００６９】
実施の形態３
本発明の実施の形態３では、その基本的構成は実施の形態１と同様であるが、無線ＬＡＮ子機の帰属シーケンスについて実施の形態１の図７からさらに省電力化を進めている。その接続シーケンスを図１０に示す。本図において、無線ＬＡＮ子機１５１はプローブ要求（Probe Request）フレームを送出せず、認証（Authentication）フレームを受信するまでを無線ＬＡＮ送信処理を行わない。
【００７０】
すなわち、実施の形態１の図７では、無線ＬＡＮ子機１５１はプローブ要求フレームを定期的に送信していたのに対し、本実施の形態の図１０では、無線ＬＡＮ子機１５１はプローブ要求フレームを送信せずに認証フレームの受信を待った状態となる。
【００７１】
その他は、図７と同様であり、ユーザーから無線ＬＡＮアクセスポイント１０１にテレビ２０３の認証許可が入力され（Ｓ４０１）、無線ＬＡＮアクセスポイント１０１がテレビ２０３へ認証フレームを送信し（Ｓ４０２）、テレビ２０３が無線ＬＡＮアクセスポイント１０１へ認証フレームを送信し（Ｓ４０３）、テレビ２０３が無線ＬＡＮアクセスポイント１０１へアソシエーション要求フレームを送信し（Ｓ４０４）、無線ＬＡＮアクセスポイント１０１がテレビ２０３へアソシエーション応答フレームを送信し（Ｓ４０５）、テレビ２０３の帰属（認証）が完了する。
【００７２】
このように、本実施の形態では、無線ＬＡＮ子機は無線ＬＡＮ通信が必要になるまで送信処理を行わないようにしているので、無線ＬＡＮアクセスポイント１０１に帰属していないときの送信電力を削減できるという効果が得られる。
【００７３】
実施の形態４
一般に無線ＬＡＮ子機は、パワーセーブモードを有している。無線ＬＡＮ子機はこのモードになると、無線制御部１５３の機能を一部停止し、データの送受信処理を休止する。無線ＬＡＮアクセスポイントは、その無線ＬＡＮ子機向けのデータやマルチキャスト/ブロードキャスト・パケットがある場合、Beacon（ビーコン：無線標識）に含まれるＴＩＭ（Traffic Indication Message）を使ってデータの存在を通知する。そして、無線ＬＡＮアクセスポイントは、無線ＬＡＮ子機が受信可能状態になってからデータを送信する。データがあることを通知するＴＩＭをＤＴＩＭ（Delivery Traffic Indication Message）と呼び、ＤＴＩＭはある一定の周期（ＤＴＩＭ間隔）で無線ＬＡＮ子機に送信される。
【００７４】
本実施の形態は、従来帰属している無線ＬＡＮ子機のパワーセーブを実現するためのBeaconの情報要素であるＴＩＭと同様な仕組みを実装する。無線ＬＡＮアクセスポイント１０１の無線ＬＡＮ子機情報記憶部１０７に記憶した無線ＬＡＮ子機情報を元に既知の無線ＬＡＮ子機１５１をBeaconの Vendor Specific 情報要素にビットマップ化することで、認証フレームの有無を無線ＬＡＮ子機へ通知する。
【００７５】
無線ＬＡＮアクセスポイント１０１は、Vendor Specific 情報要素のビットマップのうち、ユーザーの入力により認証（Authentication）フレームを送信したい無線ＬＡＮ子機１５１に対応するビットに１（通信開始情報）を設定する。このVendor Specific情報要素を解析できるようにした無線ＬＡＮ子機１５１が自身のビットマップに１が設定されていると判断した場合、認証（Authentication）フレーム受信処理を実行する。
【００７６】
本実施の形態にかかる無線ＬＡＮ子機１５１のVendor Specific情報要素解析処理を図１１に示す。
無線ＬＡＮ子機１５１の初期状態は、受信機能停止状態（パワーセーブ状態）である(Ｓ９１)。無線ＬＡＮ子機１５１は、Beacon がＤＴＩＭであるタイミングにしたがってBeaconを監視する（Ｓ９２、Ｓ９３）。すなわち、無線ＬＡＮ子機１５１は、ＤＴＩＭのタイミングになると（Ｓ９２）、無線制御部１５３受信機能を起動してBeaconを受信する（Ｓ９３）。無線ＬＡＮ子機１５１は、ＤＴＩＭのタイミング以外では無線ＬＡＮ受信機能を停止しておく（Ｓ９１）。
【００７７】
無線ＬＡＮ子機１５１は、受信したBeaconのVendor Specificに自分宛の認証（Authentication）フレームの送信情報があると判断した場合（Ｓ９４）に認証（Authentication）フレーム受信処理（Ｓ９５）および帰属シーケンスを実行する。ステップＳ９５以降の認証、帰属処理は図１０等と同様の処理である。なお、無線ＬＡＮ子機１５１は、受信したBeaconのVendor Specificに自分宛の認証（Authentication）フレームの送信情報がないと判断した場合（Ｓ９４）、引き続き無線ＬＡＮ受信機能を停止しておく（Ｓ９１）。
【００７８】
このように、本実施の形態ではBeaconのＤＴＩＭ間隔にしたがってBeaconを監視すればよいため上記のように常に認証（Authentication）フレームを受信できる状態にしておく必要がないため、更なる省電力効果が得られる。
【００７９】
その他の実施の形態
上記で説明した通信制御方法は、ＡＳＩＣ（Application Specific Integrated Circuit）を含む半導体処理装置を用いて実現されてもよい。また、これらの処理は、少なくとも１つのプロセッサ（e.g. マイクロプロセッサ、ＭＰＵ、ＤＳＰ（Digital Signal Processor））を含むコンピュータシステムにプログラムを実行させることによって実現されてもよい。具体的には、これらの送信信号処理又は受信信号処理に関するアルゴリズムをコンピュータシステムに行わせるための命令群を含む１又は複数のプログラムを作成し、当該プログラムをコンピュータに供給すればよい。
【００８０】
これらのプログラムは、様々なタイプの非一時的なコンピュータ可読媒体（non-transitory computer readable medium）を用いて記憶され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００８１】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８２】
なお、本発明は上記実施の形態に限られたものではなく、趣旨を逸脱しない範囲で適宜変更することが可能である。例えば、次世代無線LAN規格IEEE 802.11ac等の上位規格やその他の無線技術に用いてもよい。
【００８３】
さらに、上述した実施の形態は本件発明者により得られた技術思想の適用に関する例に過ぎない。すなわち、当該技術思想は、上述した実施の形態のみに限定されるものではなく、種々の変更が可能であることは勿論である。
【００８４】
例えば、上記の実施形態の一部又は全部は、以下の付記のようにも記載されうるが、以下には限られない。
（付記１）
無線端末と、前記無線端末の通信を中継する無線中継装置と、を備えた無線通信システムであって、
前記無線中継装置は、
入力される前記無線端末を認証する認証許可に従って、前記無線端末へ認証許可フレームを送信する認証許可送信手段と、
前記認証許可フレームを受信した前記無線端末から送信された認証応答フレームを受信する認証応答受信手段と、
前記認証応答フレームを受信した場合、前記無線端末の帰属を許可する帰属許可処理を実行する帰属許可手段と、を備え、
前記無線端末は、
前記無線中継装置から前記認証許可フレームを受信する認証許可受信手段と、
前記認証許可フレームを受信した場合、前記無線中継装置へ前記認証応答フレームを送信する認証応答送信手段と、
前記認証応答フレームの送信後、前記無線中継装置へ帰属を要求する帰属要求処理を実行する帰属要求手段と、
を備える、無線通信システム。
【００８５】
（付記２）
前記無線中継装置は、入力される前記無線端末の認証を解除する認証解除に従って、前記無線端末へ認証解除フレームを送信する認証解除送信手段を備え、
前記無線端末は、前記無線中継装置から前記認証解除フレームを受信する認証解除受信手段を備える、
付記１に記載の無線通信システム。
（付記３）
前記無線中継装置は、前記無線端末からのプローブ要求に対してプローブ応答処理を実行しない、
付記１または２に記載の無線通信システム。
（付記４）
前記無線端末を複数備え、
前記複数の無線端末は、第一の無線端末と、前記第一の無線端末の周辺機器である第二の無線端末を含み、
前記無線中継装置の前記認証許可送信手段は、前記第一の無線端末の前記帰属許可処理の実行後に前記第二の無線端末へ前記認証許可フレームを送信する、
付記１乃至３のいずれか一項に記載の無線通信システム。
【００８６】
（付記５）
前記無線中継装置の前記認証許可送信手段は、パワーセーブ状態である前記無線端末へ前記認証許可フレームの送信を示す認証開始情報を含むビーコンを送信した後、前記認証許可フレームを送信し、
前記無線端末の前記認証許可受信手段は、前記認証開始情報を含む前記ビーコンを受信した場合、前記認証許可フレームを受信する、
付記１〜４いずれか一項に記載の無線通信システム。
（付記６）
入力される無線端末を認証する認証許可に従って、前記無線端末へ認証許可フレームを送信する認証許可送信手段と、
前記認証許可フレームを受信した前記無線端末から送信された認証応答フレームを受信する認証応答受信手段と、
前記認証応答フレームを受信した場合、前記無線端末の帰属を許可する帰属許可処理を実行する帰属許可手段と、
を備える、無線中継装置。
（付記７）
入力される前記無線端末の認証を解除する認証解除に従って、前記無線端末へ認証解除フレームを送信する認証解除送信手段を備える、
付記６に記載の無線中継装置。
【００８７】
（付記８）
前記無線端末からのプローブ要求に対してプローブ応答処理を実行しない、
付記６または７に記載の無線中継装置。
（付記９）
前記無線端末が複数ある場合に、
複数の前記無線端末は、第一の無線端末と、前記第一の無線端末の周辺機器である第二の無線端末を含み、
前記認証許可送信手段は、前記第一の無線端末の前記帰属許可処理の実行後に前記第二の無線端末へ前記認証許可フレームを送信する、
付記６乃至８のいずれか一項に記載の無線中継装置。
（付記１０）
前記認証許可送信手段は、パワーセーブ状態である前記無線端末へ前記認証許可フレームの送信を示す認証開始情報を含むビーコンを送信した後、前記認証許可フレームを送信する、
付記６〜９いずれか一項に記載の無線中継装置。
（付記１１）
無線中継装置から認証許可フレームを受信する認証許可受信手段と、
前記認証許可フレームを受信した場合、前記無線中継装置へ認証応答フレームを送信する認証応答送信手段と、
前記認証応答フレームの送信後、前記無線中継装置へ帰属を要求する帰属要求処理を実行する帰属要求手段と、
を備える、無線端末。
（付記１２）
前記無線中継装置から前記認証解除フレームを受信する認証解除受信手段を備える、
付記１１に記載の無線端末。
【００８８】
（付記１３）
前記認証許可受信手段は、前記認証開始情報を含むビーコンを受信した場合、前記認証許可フレームを受信する、
付記１１または１２に記載の無線端末。
（付記１４）
プローブ要求をせず、前記、認証許可フレームを受信し、前記無線中継装置へ認証応答フレームを送信することで前記無線中継装置への帰属を開始する、
付記１１〜１３いずれか一項記載の無線端末。
【００８９】
（付記１５）
無線端末と、前記無線端末の通信を中継する無線中継装置と、を備えた無線通信システムにおける無線通信方法であって、
前記無線中継装置は、
入力される前記無線端末を認証する認証許可に従って、前記無線端末へ認証許可フレームを送信し、
前記認証許可フレームを受信した前記無線端末から送信された認証応答フレームを受信し、
前記認証応答フレームを受信した場合、前記無線端末の帰属を許可する帰属許可処理を実行し、
前記無線端末は、
前記無線中継装置から前記認証許可フレームを受信し、
前記認証許可フレームを受信した場合、前記無線中継装置へ前記認証応答フレームを送信し、
前記認証応答フレームの送信後、前記無線中継装置へ帰属を要求する帰属要求処理を実行する、
無線通信方法。
（付記１６）
前記無線中継装置は、入力される前記無線端末の認証を解除する認証解除に従って、前記無線端末へ認証解除フレームを送信し、
前記無線端末は、前記無線中継装置から前記認証解除フレームを受信する、
付記１５に記載の無線通信方法。
【００９０】
（付記１７）
前記無線中継装置は、前記無線端末からのプローブ要求に対してプローブ応答処理を実行しない、
付記１５または１６に記載の無線通信方法。
（付記１８）
前記無線端末が複数ある場合に、
前記複数の無線端末は、第一の無線端末と、前記第一の無線端末の周辺機器である第二の無線端末を含む場合、
前記無線中継装置の前記認証許可フレームの送信は、前記第一の無線端末の前記帰属許可処理の実行後に前記第二の無線端末へ前記認証許可フレームを送信する、
付記１５乃至１７のいずれか一項に記載の無線通信方法。
（付記１９）
前記無線中継装置の前記認証許可フレームの送信は、パワーセーブ状態である前記無線端末へ前記認証許可フレームの送信を示す認証開始情報を含むビーコンを送信した後、前記認証許可フレームを送信し、
前記無線端末の前記認証許可フレームの受信は、前記認証開始情報を含む前記ビーコンを受信した場合、前記認証許可フレームを受信する、
付記１５〜１８いずれか一項に記載の無線通信方法。
【００９１】
（付記２０）
入力される無線端末を認証する認証許可に従って、前記無線端末へ認証許可フレームを送信し、
前記認証許可フレームを受信した前記無線端末から送信された認証応答フレームを受信し、
前記認証応答フレームを受信した場合、前記無線端末の帰属を許可する帰属許可処理を実行する、
無線中継装置の制御方法。
（付記２１）
入力される前記無線端末の認証を解除する認証解除に従って、前記無線端末へ認証解除フレームを送信する、
付記２０に記載の無線中継装置の制御方法。
（付記２２）
前記無線端末からのプローブ要求に対してプローブ応答処理を実行しない、
付記２１または２２に記載の無線中継装置の制御方法。
（付記２３）
前記無線端末が複数ある場合に、
前記複数の無線端末は、第一の無線端末と、前記第一の無線端末の周辺機器である第二の無線端末を含み、
前記認証許可フレームの送信は、前記第一の無線端末の前記帰属許可処理の実行後に前記第二の無線端末へ前記認証許可フレームを送信する、
付記２０乃至２２のいずれか一項に記載の無線中継装置の制御方法。
【００９２】
（付記２４）
前記認証許可フレームの送信は、パワーセーブ状態である前記無線端末へ前記認証許可フレームの送信を示す認証開始情報を含むビーコンを送信した後、前記認証許可フレームを送信する、
付記２０〜２３いずれか一項に記載の無線中継装置の制御方法。
（付記２５）
無線中継装置から認証許可フレームを受信し、
前記認証許可フレームを受信した場合、前記無線中継装置へ認証応答フレームを送信し、
前記認証応答フレームの送信後、前記無線中継装置へ帰属を要求する帰属要求処理を実行する、
無線端末の制御方法。
（付記２６）
前記無線中継装置から前記認証解除フレームを受信する認証解除フレーム受信する、
付記２５に記載の無線端末の制御方法。
（付記２７）
前記認証許可フレームの受信は、前記認証開始情報を含むビーコンを受信した場合、前記認証許可フレームを受信する、
付記２５または２６に記載の無線端末の制御方法。
【００９３】
（付記２８）
プローブ要求をせず、前記、認証許可フレームを受信し、前記無線中継装置へ認証応答フレームを送信することで前記無線中継装置への帰属を開始する、
付記２５〜２７いずれか一項記載の無線端末の制御方法。
（付記２９）
コンピュータに無線中継装置の制御処理を実行させる無線中継装置制御プログラムであって、
入力される無線端末を認証する認証許可に従って、前記無線端末へ認証許可フレームを送信し、
前記認証許可フレームを受信した前記無線端末から送信された認証応答フレームを受信し、
前記認証応答フレームを受信した場合、前記無線端末の帰属を許可する帰属許可処理を実行する、
無線中継装置制御プログラム。
（付記３０）
入力される前記無線端末の認証を解除する認証解除に従って、前記無線端末へ認証解除フレームを送信する処理を実行する、
付記２９に記載の無線中継装置制御プログラム。
【００９４】
（付記３１）
前記無線端末からのプローブ要求に対してプローブ応答処理を実行しない処理を実行する、
付記２９または３０に記載の無線中継装置制御プログラム。
（付記３２）
前記無線端末が複数ある場合に、
前記複数の無線端末は、第一の無線端末と、前記第一の無線端末の周辺機器である第二の無線端末を含み、
前記認証許可フレームの送信は、前記第一の無線端末の前記帰属許可処理の実行後に前記第二の無線端末へ前記認証許可フレームを送信する処理を実行する、
付記２９至３１のいずれか一項に記載の無線中継装置制御プログラム。
（付記３３）
前記認証許可フレームの送信は、パワーセーブ状態である前記無線端末へ前記認証許可フレームの送信を示す認証開始情報を含むビーコンを送信した後、前記認証許可フレームを送信する処理を実行する、
付記２９〜３２いずれか一項に記載の無線中継装置制御プログラム。
（付記３４
コンピュータに無線端末の制御処理を実行させる無線端末制御プログラムであって、
無線中継装置から認証許可フレームを受信し、
前記認証許可フレームを受信した場合、前記無線中継装置へ認証応答フレームを送信し、
前記認証応答フレームの送信後、前記無線中継装置へ帰属を要求する帰属要求処理を実行する、
無線端末制御プログラム。
【００９５】
（付記３５）
前記無線中継装置から前記認証解除フレームを受信する認証解除フレーム受信する処理を実行する、
付記３４に記載の無線端末制御プログラム。
（付記３６）
前記認証許可フレームの受信は、前記認証開始情報を含むビーコンを受信した場合、前記認証許可フレームを受信する処理を実行する、
付記３４または３５に記載の無線端末制御プログラム。
（付記３７）
プローブ要求をせず、前記認証許可フレームを受信し、前記無線中継装置へ認証応答フレームを送信することで前記無線中継装置への帰属を開始する処理を実行する、
付記３４〜３６いずれか一項記載の無線端末制御プログラム。
【符号の説明】
【００９６】
１  無線通信システム
１０  無線中継装置
１１  認証許可送信部
１２  認証応答受信部
１３  帰属許可部
２０  無線端末
２１  認証許可受信部
２２  認証応答送信部
２３  帰属要求部
１０１  無線ＬＡＮアクセスポイント（無線中継装置）
１０２  アンテナ
１０３  無線制限部
１０４  制限部
１０５  外部インターフェース
１０６  プログラム記憶部
１０７  無線ＬＡＮ子機情報記憶部
１０８  記憶部
１５１  無線端末
１５２  アンテナ
１５３  無線制限部
１５４  制限部
１５６  プログラム記憶部
１５７  情報記憶部
１５８  記憶部
２０２  パーソナルコンピュータ
２０３  テレビ
２０４  スピーカー
２０５  無線セル
２０６  ローカルエリアネットワーク
２０７  ワイドエリアネットワーク
２０８  レコーダー
２２１  認証処理部
２２２  帰属処理部
２４１  認証処理部
２４２  帰属処理部
３００  通信システム
４００  Ｗｅｂ画面
４０１  無線ＬＡＮ子機識別子
４０２  認証許可／認証解除ボタン
【図１】
2014158156.tif 000003
【図２】
2014158156.tif 000004
【図３】
2014158156.tif 000005
【図４】
2014158156.tif 000006
【図５】
2014158156.tif 000007
【図６】
2014158156.tif 000008
【図７】
2014158156.tif 000009
【図８】
2014158156.tif 000010
【図９】
2014158156.tif 000011
【図１０】
2014158156.tif 000012
【図１１】
2014158156.tif 000013
【図１２】
2014158156.tif 000014